(57)【特許請求の範囲】
【請求項１】
ケーブルドラム（５０）の保管時に、該ケーブルドラムの第１および第２の側板（５２1，５２２）にそれぞれ穿設された第１および第２のドラムジャッキ心棒通し孔（５３1，５３２）から小動物が該ケーブルドラムの内部に侵入することを防止するためのケーブルドラム小動物侵入防止装置であって、
両端部に第１および第２のネジ部（１１1，１１２）をそれぞれ有するドラムジャッキ心棒（１０）と、
第１および第２の蓋（２０1，２０２）と、
を具備し、
前記第１および第２の蓋が、円筒状の第１および第２の本体部（２１1，２１２）、および、該第１および第２の本体部の外周にそれぞれ取り付けられた第１および第２の網部（２２1，２２２）を備え、
前記第１および第２の本体部の内周面に、前記ドラムジャッキ心棒の前記第１および第２のネジ部に形成されたネジ山に対応するネジ溝が形成されている、
ことを特徴とする、ケーブルドラム小動物侵入防止装置。
【請求項２】
前記第１および第２の蓋の前記第１および第２の網部が、該第１および第２の蓋を前記ドラムジャッキ心棒に取り付けたときに、該第１および第２の網部の裏面が該第１および第２の蓋の前記第１および第２の本体部の裏面と同一面上になるように、前記第１および第２の本体部の外周にそれぞれ取り付けられていることを特徴とする、請求項１記載のケーブルドラム小動物侵入防止装置。
【請求項３】
前記第１および第２の蓋の前記第１および第２の本体部の外径が、前記ケーブルドラムの前記第１および第２のドラムジャッキ心棒通し孔の径よりも小さいことを特徴とする、請求項１または２記載のケーブルドラム小動物侵入防止装置。
【請求項４】
前記第１および第２の蓋の前記第１および第２の本体部の外径が、前記ケーブルドラムの前記第１および第２のドラムジャッキ心棒通し孔の径の１／２以下であることを特徴とする、請求項３記載のケーブルドラム小動物侵入防止装置。
【請求項５】
前記第１および第２の蓋の前記第１および第２の網部が円板状の形状を有し、該第１および第２の網部の外径が、前記ケーブルドラムの前記第１および第２のドラムジャッキ心棒通し孔の径の２倍以上であることを特徴とする、請求項１乃至４いずれかに記載のケーブルドラム小動物侵入防止装置。
【請求項６】
前記第１および第２の蓋の前記第１および第２の網部が矩形状の形状を有し、該第１および第２の網部の辺の長さが、前記ケーブルドラムの前記第１および第２のドラムジャッキ心棒通し孔の径の２倍以上であることを特徴とする、請求項１乃至４いずれかに記載のケーブルドラム小動物侵入防止装置。
【請求項７】
前記第１および第２の蓋の前記第１および第２の網部に、前記ケーブルドラムの前記第１および第２の側板に向って突出した複数の爪が設けられていることを特徴とする、請求項１乃至６いずれかに記載のケーブルドラム小動物侵入防止装置。
【発明の詳細な説明】
【技術分野】
【０００１】
本発明は、ケーブルドラム小動物侵入防止装置に関し、特に、ケーブルドラムを倉庫などに保管しているときに蜂やねずみなどの小動物がケーブルドラムのドラムジャッキ心棒通し孔からケーブルドラムの内部に侵入することを防ぐのに好適なケーブルドラム小動物侵入防止装置に関する。
【背景技術】
【０００２】
電力ケーブル用のケーブルドラム５０は、木製であり、図８に示すように、電力ケーブルが巻回される円筒状の巻芯部５１と、巻芯部５１の両端にそれぞれ取り付けられた円板状の第１および第２の側板５２1，５２2とで構成されており、第１および第２の側板５２1，５２2の中央には、２つのドラムジャッキを用いてケーブルドラム５０を持ち上げる際にドラムジャッキ心棒６０を通すための第１および第２のドラムジャッキ心棒通し孔５３1，５３2が穿設されている。
【０００３】
ケーブルドラム５０を倉庫に長期間（たとえば、１年以上）保管する場合には、ケーブルドラム５０全体を覆うドラムカバーを被せているが、短期間（たとえば、１年未満）の保管の場合には、カバーを被せずにそのまま保管している。
【０００４】
なお、下記の特許文献１には、簡易な構造であってかつ首垂れ現象を起こさないようにするために、ドラムを支えフレームのセンター軸部で回転自在に片持ち支持し、支えフレームのベース部に、センター軸部の自由端側に位置するドラムの側板が下降したとき、その側板の縁を下から受止めて側板がそれ以上下降しないようにする側板受止め部を設けたケーブルドラムが開示されている。
【０００５】
また、下記の特許文献２には、ケーブルドラムの使用、不使用、使用準備状態かを問わずにケーブルドラムの回転を緩い阻止力で阻止するために、回転ドラムの側板の縁を着脱自在に嵌め入れる一方の端に設けられた係止部と、他方の端に設けられたケーブルドラムを構成する部分に当該構成部分の径の大小に応じて巻き付け係止される巻付部と、係止部と巻付部との間にあって、止め具がケーブルドラムに装着された状態で回転ドラムの回転が生じようとするとき引張力を生じる蛇腹部とを備えるケーブルドラムの止め具が開示されている。
【特許文献１】登録実用新案第３０４４０７０号公報
【特許文献２】登録実用新案第３０６３３０４号公報
【発明の開示】
【発明が解決しようとする課題】
【０００６】
しかしながら、ケーブルドラム５０の保管時に、第１および第２の側板５２1，５２2に穿設された第１および第２のドラムジャッキ心棒通し孔５３1，５３2から蜂、ねずみ、蛇およびイタチなどの小動物が巻芯部５１の中（すわなち、ケーブルドラム５０の内部）に侵入して、ケーブルドラム５０を運搬するために作業員がドラムジャッキ心棒６０を第１および第２のドラムジャッキ心棒通し孔５３1，５３2の一方から他方へ通す際に、たとえば巻芯部５１の中に侵入した蜂が出てきて刺されたりするという問題があった。
また、ケーブルドラム５０にドラムカバーを被せても、小動物は隙間からドラムカバー内に入り込むことができるために、ケーブルドラム５０の内部への小動物の侵入を完全に防ぐことできないという問題があった。
【０００７】
このような問題を解決するために、ケーブルドラム５０の保管時に第１および第２のドラムジャッキ心棒通し孔５３1，５３2に円板状の蓋を釘付けして第１および第２のドラムジャッキ心棒通し孔５３1，５３2を完全に塞ぐことが考えられるが、ケーブルドラム５０は木製であるために通気性を良くして保管しないと腐食しやすくなるという問題がある。また、通気性を確保するために円板状の蓋の代わりに網目の蓋を用いることも考えられるが、作業員は、ケーブルドラム５０を運搬する度に、釘付けされた蓋を取り外さなければならず、ケーブルドラムの運搬作業効率が低下するという問題がある。
【０００８】
本発明の目的は、通気性およびケーブルドラムの運搬作業効率を損なわずにケーブルドラムの内部への小動物の侵入を防止することができるケーブルドラム小動物侵入防止装置を提供することにある。
【課題を解決するための手段】
【０００９】
本発明のケーブルドラム小動物侵入防止装置は、ケーブルドラム（５０）の保管時に、該ケーブルドラムの第１および第２の側板（５２1，５２２）にそれぞれ穿設された第１および第２のドラムジャッキ心棒通し孔（５３1，５３２）から小動物が該ケーブルドラムの内部に侵入することを防止するためのケーブルドラム小動物侵入防止装置であって、両端部に第１および第２のネジ部（１１1，１１２）をそれぞれ有するドラムジャッキ心棒（１０）と、第１および第２の蓋（２０1，２０２）とを具備し、前記第１および第２の蓋が、円筒状の第１および第２の本体部（２１1，２１２）および該第１および第２の本体部の外周にそれぞれ取り付けられた第１および第２の網部（２２1，２２２）を備え、前記第１および第２の本体部の内周面に、前記ドラムジャッキ心棒の前記第１および第２のネジ部に形成されたネジ山に対応するネジ溝が形成されていることを特徴とする。
ここで、前記第１および第２の蓋の前記第１および第２の網部が、該第１および第２の蓋を前記ドラムジャッキ心棒に取り付けたときに、該第１および第２の網部の裏面が該第１および第２の蓋の前記第１および第２の本体部の裏面と同一面上になるように、前記第１および第２の本体部の外周にそれぞれ取り付けられている。
【００１０】
前記第１および第２の蓋の前記第１および第２の本体部の外径が、前記ケーブルドラムの前記第１および第２のドラムジャッキ心棒通し孔の径よりも小さい。
前記第１および第２の蓋の前記第１および第２の本体部の外径が、前記ケーブルドラムの前記第１および第２のドラムジャッキ心棒通し孔の径の１／２以下であってもよい。
前記第１および第２の蓋の前記第１および第２の網部が円板状の形状を有し、該第１および第２の網部の外径が、前記ケーブルドラムの前記第１および第２のドラムジャッキ心棒通し孔の径の２倍以上であってもよい。
前記第１および第２の蓋の前記第１および第２の網部が矩形状の形状を有し、該第１および第２の網部の辺の長さが、前記ケーブルドラムの前記第１および第２のドラムジャッキ心棒通し孔の径の２倍以上であってもよい。
前記第１および第２の蓋の前記第１および第２の網部に、前記ケーブルドラムの前記第１および第２の側板に向って突出した複数の爪が設けられていてもよい。
【発明の効果】
【００１１】
本発明のケーブルドラム小動物侵入防止装置は、以下に示す効果を奏する。
（１）ケーブルドラムの第１および第２のドラムジャッキ心棒通し孔を第１および第２の蓋の第１および第２の網部で塞ぐので、通気性を損なわずにケーブルドラムの内部への小動物の侵入を防止することができる。
（２）ドラムジャッキ心棒を挿入したままケーブルドラムを保管するため、ケーブルドラムを運搬する際にはそのままユニックなどで運搬することができ、ドラムジャッキ心棒をすぐにドラムジャッキに取り付けることができるので、ケーブルドラムの運搬作業効率を損なうことなくケーブルドラムの内部への小動物の侵入を防止することができる。
【発明を実施するための最良の形態】
【００１２】
通気性およびケーブルドラムの運搬作業効率を損なわずにケーブルドラムの内部への小動物の侵入を防止するという目的を、第１および第２のネジ部を両端部にそれぞれ有するドラムジャッキ心棒と、ドラムジャッキ心棒の第１および第２のネジ部に形成されたネジ山に対応するネジ溝が内周面に形成されている円筒状の第１および第２の本体部および第１および第２の本体部の外周にそれぞれ取り付けられた第１および第２の網部を備えた第１および第２の蓋とを用いて、ケーブルドラムの第１および第２のドラムジャッキ貫通孔を塞ぐことにより実現した。
【実施例１】
【００１３】
以下、本発明のケーブルドラム小動物侵入防止装置の実施例について、図面を参照して説明する。
本発明の一実施例によるケーブルドラム小動物侵入防止装置１（以下、「小動物侵入防止装置１」と称する。）は、図１に示すように、両端部に第１および第２のネジ部１１1，１１２をそれぞれ有するドラムジャッキ心棒１０と、第１および第２の蓋２０1，２０２とを具備する。
【００１４】
ここで、ドラムジャッキ心棒１０の第１および第２のネジ部１１1，１１２には、ネジ山が、ドラムジャッキ心棒１０の両端から、ケーブルドラム５０の第１および第２の側板５２1，５２2（図８参照）から外に飛び出す両端部の長さが等しくなるように第１および第２のドラムジャッキ心棒通し孔５３1，５３2にドラムジャッキ心棒１０を通したときに第１および第２の側板５２1，５２2の内側（すなわち、巻芯部５１の中）に入る部分までの範囲に、それぞれ形成されている。
たとえば、ドラムジャッキ心棒１０の長さを１３０ｃｍとし、ケーブルドラム５０の幅を９０ｃｍとすると、ドラムジャッキ心棒１０の両端から３０ｃｍまでの範囲にネジ山がそれぞれ形成されている。
【００１５】
第１の蓋２０1は、環状の第１の本体部２１1と、第１の本体部２１1の外周に取り付けられた円板状の第１の網部２２1とを備える。第１の本体部２１1および第１の網部２２1はともに、金属製である。第１の本体部２１1の内周面には、ドラムジャッキ心棒１０の第１のネジ部１１1に形成されたネジ山に対応する第１のネジ溝（不図示）が形成されている。
同様に、第２の蓋２０2は、環状の第２の本体部２１2と、第２の本体部２１2の外周に取り付けられた円板状の第２の網部２２2とを備える。第２の本体部２１2および第２の網部２２2はともに、金属製である。第２の本体部２１2の内周面には、ドラムジャッキ心棒１０の第２のネジ部１１2に形成されたネジ山に対応する第２のネジ溝（不図示）が形成されている。
【００１６】
ここで、第１および第２の本体部２１1，２１2で第１および第２のドラムジャッキ心棒通し孔５３1，５３2が塞がれないようにするために、第１および第２の本体部２１1，２１2の外径は第１および第２のドラムジャッキ心棒通し孔５３1，５３2の径よりも小さく（好ましくは、第１および第２のドラムジャッキ心棒通し孔５３1，５３2の径の１／２以下に）されている。
【００１７】
第１および第２の網部２２1，２２2は、図２に示すように、第１および第２の蓋２０1，２０2をドラムジャッキ心棒１０に取り付けたときに、第１および第２の網部２２1，２２2の裏面（ドラムジャッキ心棒１０の中心側に向く面）が第１および第２の本体部２１1，２１2の裏面（ドラムジャッキ心棒１０の中心側に向く面）と同一面上になるように、第１および第２の本体部２１1，２１2の外周にそれぞれ取り付けられている。
【００１８】
また、ドラムジャッキ心棒１０の外径は一般的にケーブルドラム５０の第１および第２のドラムジャッキ心棒通し孔５３1，５３2の径の１／３程度であるため、ケーブルドラム５０の保管時にドラムジャッキ心棒１０を第１および第２のドラムジャッキ心棒通し孔５３1，５３2に通したままにしておくと、ドラムジャッキ心棒１０の底部が第１および第２のドラムジャッキ心棒通し孔５３1，５３2の下側部分に接触した状態となる。
そこで、このような状態で第１および第２の蓋２０1，２０2をドラムジャッキ心棒１０に取り付けたときでも第１および第２の網部２２1，２２2により第１および第２のドラムジャッキ心棒通し孔５３1，５３2を完全に覆うように、第１および第２の網部２２1，２２2の外径は、ケーブルドラム５０の第１および第２のドラムジャッキ心棒通し孔５３1，５３2の径よりも大きく（好ましくは、第１および第２のドラムジャッキ心棒通し孔５３1，５３2の径の２倍以上に）されている。
【００１９】
図３に、第１の本体部２１1の外径を第１のドラムジャッキ心棒通し孔５３1の径の１／２にするとともに第１の網部２２1の外径を第１のドラムジャッキ心棒通し孔５３1の径の２倍にした場合において、第１の本体部２１1の裏面および第１の網部２２1の裏面がケーブルドラム５０の第１の側板５２1に密着するように第１の蓋２０1をドラムジャッキ心棒１０に取り付けてケーブルドラム５０の第１のドラムジャッキ心棒通し孔５３1を塞いだときの状態を示す。この図に示すように、第１の網部２２1の外径を第１のドラムジャッキ心棒通し孔５３1の径の少なくとも２倍にすることにより、第１のドラムジャッキ心棒通し孔５３1の上部を第１の網部２２1によって完全に塞ぐことができるため、ケーブルドラム５０の巻芯部５１の内部の通気性を確保しながらケーブルドラム５０の内部（巻芯部５１の中）への小動物の侵入を防止できる。
【００２０】
次に、作業者がケーブルドラム５０を運搬する際の作業手順について、図４乃至図７を参照して説明する。
ケーブルドラム５０を運搬する際には、ドラムジャッキ心棒１０の両端にワイヤー・ベルトを掛けて、ユニックでケーブルドラム５０を吊り上げてトラックの荷台に積載するが、ケーブルドラム５０の第１および第２のドラムジャッキ心棒通し孔５３1，５３2の径はドラムジャッキ心棒１０の径よりも大きいため（図３参照）、ドラムジャッキ心棒１０が第１および第２のドラムジャッキ心棒通し孔５３1，５３2の下端部から上端部まで移動したのち、ケーブルドラム５０がユニックによって吊り上げられていく。
【００２１】
したがって、図４に示すようにケーブルドラム５０の保管時には第１および第２の蓋２０1，２０2はケーブルドラム５０の第１および第２の側板５２1，５２2に密着するようにドラムジャッキ心棒１０に取り付けられているため、ドラムジャッキ心棒１０が第１および第２のドラムジャッキ心棒通し孔５３1，５３2の下端部から上端部まで移動するときに第１および第２の網部２２1，２２2が擦れて破損するおそれがある。そこで、ケーブルドラム５０を吊り上げる際には、第１および第２の蓋２０1，２０2の第１および第２の本体部２１1，２１2を回して、第１および第２の蓋２０1，２０2をケーブルドラム５０の第１および第２の側板５２1，５２2から少し離して隙間を作って、第１および第２の網部２２1，２２2が擦れて破損することを防止する（図５参照）。このとき、第１および第２の本体部２１1，２１2は第１および第２の側板５２1，５２2との間に隙間ができる程度に回せばよいため、ケーブルドラム５０の運搬作業効率を特に損なわせることはない。
【００２２】
荷降し場までトラックで運搬されると、ケーブルドラム５０は、ユニックでトラックの荷台から降ろされ、ワイヤー・ベルトが外されたのち、作業員によって転がされながら作業場まで移動される。
その後、作業員は、図６および図７に示すように、荷降し場で仮組立てしておいた第１および第２のドラムジャッキ６１1，６１2を用いてケーブルドラム５０を持ち上げたのち、電力ケーブルを繰り出す。このとき、ドラムジャッキ心棒１０をすぐに第１および第２のドラムジャッキ６１1，６１2に取り付けることができるため、作業効率を向上させることができる。
【００２３】
その後、作業が終了すると、作業員は、上述した運搬時と逆の手順によりケーブルドラム５０をトラックで保管場所まで運搬する。保管場所に到着すると、ケーブルドラム５０は、ユニックでトラックの荷台から降ろされ、ワイヤー・ベルトが外されたのち、作業員によって転がされながら保管位置まで移動される。続いて、作業員は、小動物がケーブルドラム５０の内部に侵入することを防ぐために、第１および第２の蓋２０1，２０2の第１および第２の本体部２１1，２１2を回して、第１および第２の蓋２０1，２０2をケーブルドラム５０の第１および第２の側板５２1，５２2に密着させる。
【００２４】
以上の説明では、第１および第２の蓋２０1，２０2の第１および第２の網部２２1，２２2の形状を円板状としたが、矩形状としてもよい。この場合にも、第１および第２の網部２０1，２０2の辺の長さをケーブルドラム５０の第１および第２のドラムジャッキ心棒通し孔５３1，５３2の径の２倍以上にしておけば、第１および第２の蓋２０1，２０2で第１および第２のドラムジャッキ心棒通し孔５３1，５３2を完全に塞ぐことができる。
【００２５】
また、第１および第２の蓋２０1，２０2の第１および第２の網部２２1，２２2の上下左右または四隅にケーブルドラム５０の第１および第２の側板５２1，５２2に向って突出した複数の爪（不図示）を設けることにより、ケーブルドラム５０の保管時にこれらの爪を第１および第２の側板５２1，５２2に打ち付けて、小動物がケーブルドラム５０の内部に侵入する隙間がさらにできないようにしてもよい。このとき、これらの爪の長さを短くしておけば、ケーブルドラム５０の運搬時には簡単にこれらの爪を第１および第２の側板５２1，５２2から外せるので、ケーブルドラム５０の運搬作業効率を特に損なわせることはない。
【産業上の利用可能性】
【００２６】
本発明のケーブルドラム小動物侵入防止装置は、たとえば、ケーブルドラムの保管時に蜂やねずみなどの小動物がケーブルドラムのドラムジャッキ心棒通し孔からケーブルドラム内に侵入することを防ぐのに利用することができる。
【図面の簡単な説明】
【００２７】
【図１】本発明の一実施例による小動物侵入防止装置１の構成部品を示す図である。
【図２】図１に示した第１および第２の蓋２０1，２０2の第１および第２の網部２２1，２２2の取付け部位を説明するための図である。
【図３】図１に示した第１の蓋２０1の第１の本体部２１1の外径および第１の網部２２1の外径を説明するための図である。
【図４】作業者がケーブルドラム５０を運搬する際の作業手順について説明するための図である。
【図５】作業者がケーブルドラム５０を運搬する際の作業手順について説明するための図である。
【図６】作業者がケーブルドラム５０を運搬する際の作業手順について説明するための図である。
【図７】作業者がケーブルドラム５０を運搬する際の作業手順について説明するための図である。
【図８】ケーブルドラム５０の構造を説明するための図である。
【符号の説明】
【００２８】
１  小動物侵入防止装置
１０，６０  ドラムジャッキ心棒
１１1，１１２  第１および第２のネジ部
２０1，２０２  第１および第２の蓋
２１1，２１２  第１および第２の本体部
２２1，２２２  第１および第２の網部
５０  ケーブルドラム
５１  巻芯部
５２1，５２2  第１および第２の側板
５３1，５３2  第１および第２のドラムジャッキ心棒通し孔
６１1，６１2  第１および第２のドラムジャッキ
【図１】
0004454569.tif 000002
【図２】
0004454569.tif 000003
【図３】
0004454569.tif 000004
【図４】
0004454569.tif 000005
【図５】
0004454569.tif 000006
【図６】
0004454569.tif 000007
【図７】
0004454569.tif 000008
【図８】
0004454569.tif 000009